(57)【要約】      （修正有）【課題】需要者に対して、ある程度離れた位置からでも、そこに自動販売機があること、及び、その自動販売機が何を販売するものであるか、あるいは、どこのメーカーのものであるかを、大きなコストをかけることなく、一目で認識できる自動販売機を提供する。【解決手段】正面に開口部を有する箱状の本体部１と、その本体部１の開口部に設けられる開閉自在の扉体２と、その扉体２に設けられ商品の見本を配置する商品陳列部３とを備え、前記扉体２には、その正面視における前記商品陳列部３よりも外側の右上コーナー部１２ａ及び左上コーナー部１２ｂに、その自動販売機で扱う商品又はメーカー毎に予め決められた色で光る発光ダイオードからなる識別ランプ１１ａ，１１ｂを備える。【選択図】図１
0003177306.tif 000002
【実用新案登録請求の範囲】
【請求項１】
正面に開口部を有する箱状の本体部（１）と、その本体部（１）の開口部に設けられる開閉自在の扉体（２）と、その扉体（２）に設けられ商品の見本を配置する商品陳列部（３）とを備え、前記扉体（２）には、その正面視における前記商品陳列部（３）よりも外側の右上コーナー部（１２ａ）及び左上コーナー部（１２ｂ）に、その自動販売機で扱う商品又はメーカー毎に予め決められた色で光る発光ダイオードからなる識別ランプ（１１ａ，１１ｂ）を備えたことを特徴とする自動販売機。
【請求項２】
前記扉体（２）は、前面板（４）とその前面板（４）の上縁から後方へ伸びる上面板（５）とを備え、前記右上コーナー部（１２ａ）の識別ランプ（１１ａ）及び前記左上コーナー部（１２ｂ）の識別ランプ（１１ｂ）は、それぞれ、前記上面板（５）を貫通する孔に取付けられてその上面板（５）から上方へ向かって突出していることを特徴とする請求項１に記載の自動販売機。
【請求項３】
前記扉体（２）は、前面板（４）とその前面板（４）の上縁から後方へ伸びる上面板（５）とを備え、前記前面板（４）の幅方向両端に、左右方向端部に向かうにつれて徐々に後方へ近づく傾斜部（７）を設け、前記識別ランプ（１１ａ，１１ｂ）をその傾斜部（７）に設けたことを特徴とする請求項１に記載の自動販売機。
【考案の詳細な説明】
【技術分野】
【０００１】
この考案は、例えば、飲料や食品、タバコ、その他各種商品を扱う自動販売機に関するものである。
【背景技術】
【０００２】
飲料や食品、タバコ、その他各種商品を扱う自動販売機は、一般に、その商品を扱う会社毎に、その会社の商品のみを扱う専用の機器が配置されている場合が多い。
【０００３】
例えば、清涼飲料水やアルコール飲料等の各種飲料の分野においては、その飲料を製造するメーカー又はそのメーカーの関連会社等（以下、「飲料メーカー」と称する。）は、自動販売機を製造する会社（以下、「自販機メーカー」と称する。）から自動販売機を購入する。そして、この自動販売機を、別の運営会社に貸与、譲渡（販売）するか、あるいは、その運営を委託する。
【０００４】
運営会社は、自動販売機を適切な場所に設置するとともに、飲料メーカーから供給される商品をその自動販売機に収容し、商品の販売とその管理を行う。なお、飲料メーカーが、自販機メーカーから自動販売機を購入し、自らその自動販売機の設置、商品の販売とその管理を行う場合もある。
【０００５】
飲料メーカー及び運営会社は、商品の売上を向上させるために、自社の運営する自動販売機を、少しでも販売数量が多く期待できる場所に設置しようとする。また、少しでも多くの商品の販売が期待できるような機器を、自社の自動販売機として採用する。また、そのような機器の開発を、自販機メーカーに要請する。
【０００６】
一方、自販機メーカーは、自動販売機の販売台数を増やすために、その自動販売機の機器に、種々の付加価値を付けようと常に試みている。付加価値があれば、結果的に自動販売機の販売促進にも寄与する。
【０００７】
その付加価値とは、例えば、需要者（自動販売機による商品の購入者）に対して注意をひくような、自動販売機の形状、大きさ、色彩等の外観に現れる部分への工夫や、商品のディスプレーに関する工夫、あるいは、節電に関する機能、商品の管理に関する機能、需要者に対して購買欲を喚起させるような機能等が挙げられる。自販機メーカーは、自社の自動販売機が備える工夫や機能を、飲料メーカーや運営会社にアピールする。
【０００８】
ところで、従来の自動販売機では、人が道路や通路を歩いている際に、自動販売機の存在に気づかないことがあった。例えば、その自動販売機が、電柱や樹木、あるいは、建物の影等に隠れていて、遠方からでは視認しづらい場合等である。遠方から視認できなければ、商品の販売機会を失う要因となり得る。
【０００９】
また、そこに何らかの自動販売機があることが、遠方から視認することができても、その自動販売機が、何を販売するものなのか、あるいは、どこのメーカーのものであるかが、遠方からでは判らないということがあった。自動販売機のすぐ前に来るまで、自動販売機の種別（販売商品の種別、メーカー名）が判らないという状態では、この場合も、商品の販売機会を失う要因となり得る。特に、複数の自動販売機が横並びとなっている場合、メーカー毎に決められている自動販売機本体の色が、遠方からでは視認しにくくなる傾向がある。また、例えば、青色と紫色など、類似する色のメーカーの自動販売機が隣り合っている場合には、さらに視認しにくくなる。
【００１０】
このため、例えば、特許文献１には、需要者が、その自動販売機がどこのメーカーのものであるかを視認できるよう、自動販売機の前面に表示部を設けた技術が開示されている。表示部は、アクリル樹脂からなる導光部材で構成され、メーカー名等の文字やロゴ等の販促文字が表示されている。発光ダイオード等の光源からの光が導光部材に導かれることで、その表示部の文字やロゴ等が、視認しやすくなる（例えば、特許文献１参照）。
【００１１】
また、特許文献２には、自動販売機の上部に、メーカー名等の文字やロゴ等を記載した表示板を、その自動販売機の上面前端部から前方に突出させて設けた技術が開示されている。表示板は、横方向から外力を受けたとき、垂直な支軸を中心にして回転し、外力がなくなったらバネ力により元の位置に戻るようになっている（例えば、特許文献２参照）。
【先行技術文献】
【特許文献】
【００１２】
【特許文献１】特開２００９−２４５１９３号公報
【特許文献２】特開平１１−７３１４６号公報
【考案の概要】
【考案が解決しようとする課題】
【００１３】
上記特許文献１に記載の技術によれば、光源からの光によって、メーカー名等の文字やロゴ等が、ある程度の距離からでも視認できるとも考えられる。また、夜間等であっても、ある程度の距離からの視認は可能である。
【００１４】
しかし、自動販売機は、通常、その前面の中央部に商品陳列部を備えている。商品陳列部では、内部に配置した商品見本が、様々な色合いの照明によって照らされている。このため、その明るく照らされた商品陳列部に近い表示部は、目立たないという問題もある。また、自動販売機の正面からではなく、正面に対してやや側方からの視認では、表示部に記載されたメーカー名等の文字やロゴ等が見えにくいという問題もある。
【００１５】
この点、上記特許文献２に記載の技術によれば、表示板は、自動販売機の上部に突出して設けられている。このため、表示板は、商品陳列部から上方へ離れている。また、自動販売機の正面に対してやや側方からの視認でも、ある程度、メーカー名等の文字やロゴ等を確認できる。また、照明装置によって、夜間の点灯も可能である。
【００１６】
しかし、自販機メーカーには、機器のコスト削減、すなわち、機器の単価を低減しなければならないという要請もある。メーカー名等の文字やロゴ等を記載した表示板を製作するコスト、その表示板を可動状態に取付けるコスト、照明装置のコストは無視できない。また、表示板の破損や経年による劣化等も危惧される。
【００１７】
そこで、この考案は、需要者に対して、ある程度離れた位置からでも、そこに自動販売機があること、及び、その自動販売機が何を販売するものであるか、あるいは、どこのメーカーのものであるかを、大きなコストをかけることなく、一目で認識できるようにすることを課題とする。
【課題を解決するための手段】
【００１８】
上記の課題を解決するために、この考案は、正面に開口部を有する箱状の本体部と、その本体部の開口部に設けられる開閉自在の扉体と、その扉体に設けられ商品の見本を配置する商品陳列部とを備え、前記扉体には、その正面視における前記商品陳列部よりも外側の右上コーナー部及び左上コーナー部に、その自動販売機で扱う商品又はメーカー毎に予め決められた色で光る発光ダイオードからなる識別ランプを備えたことを特徴とする自動販売機を採用した。
【００１９】
識別ランプが発する光を見れば、需要者は、そこに自動販売機があることを認識できる。また、その光の色を見れば、その自動販売機が何を販売するものであるか、あるいは、どこのメーカーのものであるかを、一目で認識できる。また、その識別ランプを、扉体の上部、特に、その正面視における右上コーナー部及び左上コーナー部としたので、その識別ランプの光は、明るく照らされた商品陳列部とは分離して、視覚に入りやすい。このため識別ランプが目立たないという問題は生じにくい。
【００２０】
また、人間の視覚では、自動販売機に対して、特に、上寄りの部分に目線がいきやすい傾向があるといわれている。さらに、その上寄りの部分の中でも、左右両端に視線がいきやすいといわれている。このことは、商品陳列部に配置された商品見本のうち、上段に位置するもの、その中でも特に、左右の端に位置する商品が有利であるといわれていることにも合致する。このため、右上コーナー部と左上コーナー部に識別ランプを配置することで、需要者へのアピール度合いを特段に高めることができる。
【００２１】
さらに、発光ダイオードからなる識別ランプであれば、自動販売機の正面からはもちろんのこと、正面に対してやや側方にずれた斜め方向から、あるいは、自動販売機の側方から等の任意の方向からも、問題なく視認できるように設定できる。また、発光ダイオードであれば、遠方からでも問題なく視認できるように設定できる。
【００２２】
また、その識別ランプの設置には、大きなコストを必要としない。発光ダイオードからなる識別ランプであれば、扉体に所定の径の穿孔を施すことで、容易に取り付けできる。
この穿孔は、通常、扉体を構成する鋼板に対して、一般的な工具を用いて容易に行うことができる。
【００２３】
さらに、その扉体には、通常、商品の販売機能に関する各種制御装置（制御盤）が設けられ、さらに扉体には、それらを動作させるための電源等も導かれている。このため、識別ランプを扉体に設けることで、その識別ランプを点灯させるための電源を確保しやすい。すなわち、扉体に取付けた識別ランプは、同じく扉体にある電源に対して、短い配線で容易に接続できる。このため、この識別ランプを、自動販売機の新造時のみならず、既に販売された、あるいは、既に稼働している既存の自動販売機に後付けすることも容易である。
【００２４】
なお、識別ランプは、商品陳列部よりも外側で、且つ、扉体の右上の隅部（前記コーナー部と左上の隅部（前記コーナー部）とに設けられていればよく、その範囲内であれば、識別ランプの位置や向きは、視認性を確保できる限りにおいて適宜設定できる。
【００２５】
例えば、扉体の正面視において、その扉体の右上コーナー部及び左上コーナー部で、扉体を構成する前面板（板面が前向きである板材）を前後方向に穿孔し、その孔に識別ランプを前方へ向かって装入し固定する構成がある。このとき、識別ランプは、前面板から前方に突出していることが望ましい。側方からの視認性を向上させることができるからである。
【００２６】
また、例えば、扉体は、前面板とその前面板の上縁から後方へ伸びる上面板（板面が上向きである板材）とを備え、右上コーナー部の識別ランプ及び左上コーナー部の識別ランプは、それぞれ、上面板を貫通する孔に取付けられてその上面板から上方へ向かって突出している構成を採用することができる。識別ランプが、上面板から上方に突出していることで、識別ランプの光を出す位置がより上方となり、視認性がさらに高まる。また、識別ランプの位置が上方となるので、人や軽車両等が接触、衝突することによるランプの損傷や、あるいは、第三者による悪戯等も防止できる。
【００２７】
なお、上記の各構成において、右上コーナー部の識別ランプと左上コーナー部の識別ランプとの間に、その自動販売機のメーカーを、文字や図形を発光ダイオードの光で表示する表示部を備えることもできる。表示部は、商品陳列部の上方において、正面に向けて配置される。
この表示部は、例えば、発光ダイオードの発光素子を、文字や図形の形状になるよう多数配置し、その発光素子群の光が、文字や図形として視認されるようにすることができる。表示部があれば、識別ランプの効果に加え、自動販売機の存在、種別、メーカー等を、比較的離れた場所から、より明確に視認することができる。
【考案の効果】
【００２８】
この考案は、自動販売機前面の扉体の右上コーナー部及び左上コーナー部に、発光ダイオードからなる識別ランプを備えたので、その識別ランプの光は、明るく照らされた商品陳列部とは分離して、視覚に入りやすい。このため、その識別ランプが発する光を見れば、需要者は、そこに自動販売機があることを認識できる。また、その光の色を見れば、その自動販売機が何を販売するものであるか、あるいは、どこのメーカーのものであるかを、一目で認識できる。その識別ランプの設置には、大きなコストを必要としない。
【図面の簡単な説明】
【００２９】
【図１】この考案の一実施形態を示す斜視図
【図２】他の実施形態を示す要部斜視図
【図３】（ａ）（ｂ）は、それぞれさらに他の実施形態を示す平面図
【図４】（ａ）（ｂ）は、それぞれさらに他の実施形態を示す要部斜視図
【図５】（ａ）（ｂ）は、識別ランプの取付け構造の例を示す拡大断面図
【考案を実施するための形態】
【００３０】
この考案の実施形態を、図面に基づいて説明する。この実施形態の自動販売機１０は、例えば、ペットボトル入り飲料、缶入り飲料、ビン入り飲料、紙パック入り飲料等の各種商品を販売するものである。
【００３１】
自動販売機１０の基本構成は、正面に開口部を有する箱状の本体部１と、その本体部１の開口部に設けられる開閉自在の扉体２と、その扉体に設けられ商品の見本を配置する商品陳列部３とを備える。扉体２は、図中右側に設けたヒンジを支持点として、本体部１に対して片開き式に開閉する。
【００３２】
販売する商品の商品見本１３は、商品陳列部３内に整然と配置され、自動販売機１０の正面側からガラス等の透明板を通して視認することができる。また、商品陳列部内には照明装置が設けられ、商品見本１３は明るく照らされている。
【００３３】
扉体２は、その板面が前向きである鋼板からなる前面板４と、その前面板４の上縁から後方へ伸びて、その板面が上向きである鋼板からなる上面板５とを備える。また、前面板４の左右の側縁からそれぞれ後方へ伸びて、その板面が側方向きである鋼板からなる左右の側面板６とを備える。
【００３４】
また、扉体２の前面板４には、購入する商品を選択するために操作する選択ボタン１６や、紙幣や硬貨の収受を行う収受部１７等が設けられている。また、購入した商品を取り出すための商品取出口１４や施錠装置１５等も設けられている。
【００３５】
本体部１内には、商品を収納するための商品収納部が複数列、また、場合によっては複数段配置されている。収納された商品は、必要に応じて冷却や加熱の処理が施されるようになっている。
【００３６】
扉体２には、図１に示すように、その正面視における商品陳列部３よりも外側の右上コーナー部１２ａ及び左上コーナー部１２ｂに、その自動販売機１０で扱う飲料のメーカー毎に予め決められた色で光る発光ダイオードからなる識別ランプ１１ａ，１１ｂが備えられている。
【００３７】
発光ダイオードが発する光の色は、例えば、Ａ社は青、Ｂ社は黄、Ｃ社は緑などと設定することができる。この実施形態では、左右の識別ランプ１１ａ，１１ｂは同色であるが、これを異色の組合わせで上記メーカーを特定できるようにすることは可能である。
【００３８】
識別ランプ１１ａ，１１ｂが発する光を見れば、需要者は、そこに自動販売機１０があることを認識できる。また、その光の色を見れば、その自動販売機１０がどこの飲料メーカーのものであるかを、一目で認識できる。
また、その識別ランプ１１ａ，１１ｂを、扉体２の上部、特に、その正面視における右上コーナー部１２ａ及び左上コーナー部１２ｂとしたので、その識別ランプ１１ａ，１１ｂの光は、明るく照らされた商品陳列部３とは分離して、視覚に入りやすい。このため識別ランプ１１ａ，１１ｂが目立たないという問題は生じにくい。
【００３９】
さらに、発光ダイオードからなる識別ランプ１１ａ，１１ｂであれば、自動販売機１０の正面からはもちろんのこと、正面に対してやや側方にずれた斜め方向から、あるいは、自動販売機１０の側方から等の任意の方向からも、問題なく視認できるように設定できる。また、発光ダイオードであれば、遠方からでも問題なく視認できるように設定できる。
【００４０】
また、その識別ランプ１１ａ，１１ｂの設置には、大きなコストを必要としない。発光ダイオードからなる識別ランプ１１ａ，１１ｂであれば、扉体に所定の径の穿孔を施すことで、容易に取り付けできる。この穿孔は、通常、扉体２を構成する前面板４の鋼板に対して、一般的な工具を用いて容易に行うことができる。
【００４１】
なお、この実施形態では、発光ダイオードの発光素子を複数直線状に配列して長手状の識別ランプ１１ａ，１１ｂを採用している。長手状の識別ランプ１１ａ，１１ｂは、その長手方向が上下方向に向くように固定されるので、前面板４に穿孔される孔も、上下方向への長孔となっている。このとき、識別ランプ１１ａ，１１ｂは、前面板４から前方に突出しており、自動販売機１０の前方からのみならず、側方からの視認性も向上させている。
【００４２】
識別ランプ１１ａ，１１ｂは、商品陳列部３よりも外側で、且つ、扉体２の右上コーナー部１２ａと左上コーナー部１２ｂとに設けられていればよく、その範囲内であれば、識別ランプ１１ａ，１１ｂの位置や向きは、視認性を確保できる限りにおいて適宜設定できる。
また、その識別ランプ１１ａ，１１ｂの形状も、並列する複数の発光素子が長手状のケースに収容されたものに限定されず、単一の発光素子を用いた又は複数の発光素子が集合した筒状、錐台状等のケースに収容されたものであってもよい。
【００４３】
例えば、図２に示すように、右上コーナー部１２ａの識別ランプ１１ａ及び左上コーナー部１２ｂの識別ランプ１１ｂを、それぞれ、扉体２の上面板５に上向きに取付けることもできる。
この構成において、各識別ランプ１１ａ，１１ｂは、上面板５の左右方向端部において、その上面板５を貫通するように穿孔された孔に取付けられている。各識別ランプ１１ａ，１１ｂの発光する部分が、その上面板５から上方へ向かって突出しているので、その識別ランプ１１ａ，１１ｂの光を出す位置がより上方となり、視認性がさらに高まる。このとき、発光素子の発する光が、特に、自動販売機の側方及び正面から明るく視認できるようにその発光素子の向きを配置するか、あるいは、反射板、レンズ等を配置することが望ましい。
【００４４】
また、識別ランプ１１ａ，１１ｂの位置がより上方となるので、人や軽車両等が接触、衝突することによるその識別ランプ１１ａ，１１ｂの損傷や、あるいは、第三者による悪戯等も防止できる。
【００４５】
また、例えば、図３に示すように、前面板４の左右両端（幅方向両端）に、左右方向端部に向かうにつれて徐々に後方へ近づく傾斜部７を設けてもよい。
この構成において、各識別ランプ１１ａ，１１ｂは、前面板４の両端の傾斜部７において、その前面板４を貫通するように穿孔された孔に取付けられている。各識別ランプ１１ａ，１１ｂの発光する部分が、自動販売機１０の正面に対して斜め方向、すなわち、前後方向に対して交差する方向に向くので、特に、自動販売機１０の側方からの視認性を高めることができる。
【００４６】
また、例えば、図４（ａ）に示すように、識別ランプ１１ａ，１１ｂの形状を、複数の発光素子が正面視円形に集合したものとしてもよい。これらの発光素子は、筒状、錐台状等のケースに収容されて、そのケースの軸方向を正面に向けて配置したものとすることができる。このとき、同じく、発光素子の発する光が、特に、自動販売機の側方及び正面から明るく視認できるようにその発光素子の向きを配置するか、あるいは、反射板、レンズ等を配置することが望ましい。
【００４７】
また、例えば、図４（ｂ）に示すように、右上コーナー部１２ａの識別ランプ１１ａと左上コーナー部１２ｂの識別ランプ１１ｂとの間に、その自動販売機のメーカーを、文字や図形を発光ダイオードの光で表示する表示部１８を備えることもできる。表示部１８は、商品陳列部３の上方において、正面に向けて配置される。
この表示部１８は、発光ダイオードの発光素子を、文字や図形の形状になるよう多数配置し、その発光素子群の光が、文字や図形として視認されるようにすることができる。
表示部１８があれば、識別ランプ１１の効果に加え、自動販売機の存在、種別、メーカー等を、比較的離れた場所から、より明確に視認することができる。
【００４８】
なお、識別ランプ１１ａ，１１ｂの固定構造の例を、図５（ａ）（ｂ）に示す。
【００４９】
図５（ａ）は、扉体２を構成する部材（前記前面板４、前記上面板５等）に設けた孔ｈに、識別ランプ１１ａ，１１ｂを外側から装入し、その識別ランプ１１ａ，１１ｂから伸びる固定用のフランジｆを、前記部材に対して外側からビス止め等により固定したものである。図中の下方が自動販売機の外側、上方が内側である。発光素子ｓは、前面板４の部材よりも外側に突出しているので、その発する光は、自動販売機の正面からのみならず、側方からも視認することができる。
【００５０】
図５（ｂ）は、扉体２を構成する部材に設けた孔ｈに、識別ランプ１１ａ，１１ｂを内側から装入し、その識別ランプ１１ａ，１１ｂから伸びる固定用のフランジｆを、前記部材に対して内側からビス止め等により固定したものである。図中の下方が自動販売機の外側、上方が内側である。識別ランプ１１ａ，１１ｂの発光素子ｓを覆うケースｃが、外側に向かって徐々に狭まるテーパ状であるので、自動販売機１０の外側から識別ランプ１１ａ，１１ｂを抜き取ることができず、悪戯等を防止できる。
【００５１】
これらの実施形態では、自動販売機１０で取り扱う商品を飲料としたが、飲料以外にも、各種食品、タバコ、その他各種分野の商品を扱うことができる。
【符号の説明】
【００５２】
１  本体部
２  扉体
３  商品陳列部
４  前面板
５  上面板
６  側面板
７  傾斜部
１０  自動販売機
１１，１１ａ，１１ｂ  識別ランプ
１２ａ  右上コーナー部
１２ｂ  左上コーナー部
１３  商品見本
１８  表示部
【図１】
0003177306.tif 000003
【図２】
0003177306.tif 000004
【図３】
0003177306.tif 000005
【図４】
0003177306.tif 000006
【図５】
0003177306.tif 000007